(57)【要約】      （修正有）【課題】十分な加圧力や切断力が得られ、刃先の突出寸法の変更も可能であり、刃体部の交換も容易である低コストで使いやすい摘み取り器を提供する。【解決手段】摘み取り器１は、刃体部５とホルダー部３とバンド部７を有するものである。刃体部５は、刃先２１の形状が内側方向に凹状に湾曲しており、ホルダー部３に挿入され、ねじ１５によって螺着されるためのねじ挿入孔２５ａ〜ｃと、キャップ部９の突起部４１ａと嵌合するキャップ部装着孔２３を有するものである。ホルダー部３は、刃体部５を挿入するための刃体部挿入溝１１と、刃体部５をねじ１５によって螺着するためのねじ穴１３を有するものである。バンド部７は、ホルダー部３に固着されており、ホルダー部３を、少なくとも人差し指と中指とが含まれる複数本の指に固定するための面ファスナーを有するものである。【選択図】図１
0003196903.tif 000002
【実用新案登録請求の範囲】
【請求項１】
刃体部とホルダー部とバンド部を有する摘み取り器であって、
前記刃体部は、
前記ホルダー部に挿入された後、ねじによって螺着されるためのねじ挿入孔を有するものであり、
前記ホルダー部は、
前記刃体部を挿入するための刃体部挿入溝と、前記刃体部を前記ねじによって螺着するためのねじ穴を有するものであり、
前記バンド部は、
前記ホルダー部に固着されており、
前記ホルダー部を、少なくとも人差し指と中指とが含まれる複数本の指に固定するための固定手段を有するものであることを特徴とする摘み取り器。
【請求項２】
刃体部とホルダー部とバンド部と管状部を有する摘み取り器であって、
前記刃体部は、
前記ホルダー部に挿入された後、ねじによって螺着されるためのねじ挿入孔を有するものであり、
前記ホルダー部は、
前記刃体部を挿入するための刃体部挿入溝と、前記刃体部を前記ねじによって螺着するためのねじ穴を有するものであり、
前記管状部は、
小指を挿入するためのものであり、
段部を有する状態で前記にバンド部に固着されており、
前記バンド部は、
前記ホルダー部に固着されており、
前記ホルダー部を、人差し指と中指と薬指に固定するための固定手段を有するものであることを特徴とする摘み取り器。
【請求項３】
刃体部とホルダー部と指サック部とバンド部を有する摘み取り器であって、
前記刃体部は、
前記ホルダー部に挿入された後、ねじによって螺着されるためのねじ挿入孔を有するものであり、
前記ホルダー部は、
前記刃体部を挿入するための刃体部挿入溝と、前記刃体部を前記ねじによって螺着するためのねじ穴を有するものであり、
前記バンド部は、
前記指サック部を介して前記ホルダー部に固着されており、
前記指サック部を、少なくとも人差し指と中指とが含まれる複数本の指に固定するための固定手段を有するものであることを特徴とする摘み取り器。
【請求項４】
前記刃体部は、
刃先の形状が内側方向に凹状に湾曲する形状のものである
ことを特徴とする請求項１乃至請求項３のいずれか一項に記載の摘み取り器。
【請求項５】
前記刃体部は、
複数個の前記ねじ挿入孔と、キャップ部の突起部と嵌合するキャップ部装着孔とを有するものである
ことを特徴とする請求項１乃至請求項４のいずれか一項に記載の摘み取り器。
【請求項６】
前記バンド部の固定手段は、
面ファスナーである
ことを特徴とする請求項１乃至請求項５のいずれか一項に記載の摘み取り器。
【考案の詳細な説明】
【技術分野】
【０００１】
本考案は、ナス、キュウリ、ピーマンなどの野菜や、ミカンやカキなどの果実を収穫するための摘み取り器に関するものである。
【背景技術】
【０００２】
従来、ナス、キュウリ、ピーマンなどの野菜や、ミカンやカキなどの果実を収穫するには、一方の手、例えば左手でナスなどの収穫物を掴んだ状態で、他方の手、例えば右手で鋏や小刀で果柄の部分などを切断して収穫作業をしていた。
【０００３】
すなわち、野菜や果実を収穫するには両手で作業をする必要性があるので、踏み台や脚立などを用いる高所作業時には両手が塞がってしまう結果、作業に支障をきたす場合が多いというような問題点があった。また、足元がぐらついたりするなどの咄嗟の場合においても、両手が塞がっているので脚立などに掴まることができないという安全上の面からも問題が生じていた。
【０００４】
そこで、刃体部を有する摘み取り器を一方の手の親指に装着する発明が開示されている（特許文献１、特許文献２）。また、人差し指と中指の部分に刃体部を有する摘み取り器を装着する発明も開示されている（特許文献３、特許文献４）。なお、特許文献２及び特許文献４は、本願出願人が既に開発している摘み取り器に関する考案である。
【０００５】
これらの摘み取り器を用いると、一方の手、例えば、右手のみでナスなどの果柄の部分を切断して収穫をすることができるので使いやすく極めて便利なものである。
【先行技術文献】
【特許文献】
【０００６】
【特許文献１】実用新案登録第３０９１１６９号公報
【特許文献２】実用新案登録第３１８１３３０号公報
【特許文献３】特開２０１４−２３５３０号公報
【特許文献４】実用新案登録第３１８７８６２号公報
【考案の概要】
【考案が解決しようとする課題】
【０００７】
しかしながら、上述した特許文献１乃至特許文献４に記載されている摘み取り器は、ミカンやカキなどの果実を摘み取るには十分な加圧力や切断力が得られないという問題点があった。
【０００８】
また、これらの摘み取り器は、刃先の突出寸法を変えられないために、使用する野菜や果実ごとに多くの種類を揃える必要があるというコスト上の問題点もあった。
【０００９】
加えて、使用時間の経過とともに刃先部分に刃こぼれをしたり、錆ついたりして切れにくくなったような場合において、刃体部の交換が容易ではないという問題点もあった。
【００１０】
本考案は、上述した問題点を解決するものであり、十分な加圧力や切断力が得られるとともに、刃先の突出寸法の変更が可能であり、刃体部の交換も容易であり、かつ低コストである摘み取り器を提供するものである。
【課題を解決するための手段】
【００１１】
本考案は、上述したような従来からの問題点を解決するものである。
【００１２】
請求項１に記載された考案は、
刃体部とホルダー部とバンド部を有する摘み取り器であって、
前記刃体部は、
前記ホルダー部に挿入された後、ねじによって螺着されるためのねじ挿入孔を有するものであり、
前記ホルダー部は、
前記刃体部を挿入するための刃体部挿入溝と、前記刃体部を前記ねじによって螺着するためのねじ穴を有するものであり、
前記バンド部は、
前記ホルダー部に固着されており、
前記ホルダー部を、少なくとも人差し指と中指とが含まれる複数本の指に固定するための固定手段を有するものであることを特徴としている。
【００１３】
請求項１に記載の考案によると、十分な加圧力や切断力を得られるとともに、片手のみで野菜や果実などの収穫作業が可能な摘み取り器を提供することができる。
【００１４】
請求項２に記載した考案は、
刃体部とホルダー部とバンド部と管状部を有する摘み取り器であって、
前記刃体部は、
前記ホルダー部に挿入された後、ねじによって螺着されるためのねじ挿入孔を有するものであり、
前記ホルダー部は、
前記刃体部を挿入するための刃体部挿入溝と、前記刃体部を前記ねじによって螺着するためのねじ穴を有するものであり、
前記管状部は、
小指を挿入するためのものであり、
段部を有する状態で前記にバンド部に固着されており、
前記バンド部は、
前記ホルダー部に固着されており、
前記ホルダー部を、人差し指と中指と薬指に固定するための固定手段を有するものであることを特徴としている。
【００１５】
請求項２に記載の考案によると、請求項１に記載の考案の効果に加えて、刃体部の刃先の角度がより安定するので、使いやすい状態で野菜や果実などの収穫作業を行うことができる。
【００１６】
請求項３に記載した考案は、
刃体部とホルダー部と指サック部とバンド部を有する摘み取り器であって、
前記刃体部は、
前記ホルダー部に挿入された後、ねじによって螺着されるためのねじ挿入孔を有するものであり、
前記ホルダー部は、
前記刃体部を挿入するための刃体部挿入溝と、前記刃体部を前記ねじによって螺着するためのねじ穴を有するものであり、
前記バンド部は、
前記指サック部を介して前記ホルダー部に固着されており、
前記指サック部を、少なくとも人差し指と中指とが含まれる複数本の指に固定するための固定手段を有するものであることを特徴としている。
【００１７】
請求項３に記載の考案によると、請求項２に記載の考案よりも刃体部の刃先の角度がさらに安定するので、より使いやすい状態で野菜や果実などの収穫作業を行うことができる。
【００１８】
請求項４に記載の考案は、請求項１乃至請求項３のいずれか一項に記載の摘み取り器であって、
前記刃体部は、
刃先の形状が内側方向に凹状に湾曲する形状のものである
ことを特徴としている。
【００１９】
請求項４に記載の考案によると、収穫する野菜や果実の果柄の部分への当接作業やその後の切断作業を容易にかつ確実に行うことができる。
【００２０】
請求項５に記載の考案は、請求項１乃至請求項４のいずれか一項に記載の摘み取り器であって、
前記刃体部は、
複数個の前記ねじ挿入孔と、キャップ部の突起部と嵌合するキャップ部装着孔とを有するものであることを特徴としている。
【００２１】
請求項５に記載の考案によると、収穫する野菜や果実の種類によって刃先の突出寸法を変更することが可能となる。したがって、１個の摘み取り器によって、野菜や果実などの多品種に対応できる。また、使用時間の経過とともに刃こぼれをしたり、錆ついたりして切れ味が鈍くなった場合には刃体部のみの交換が可能になる。
【００２２】
加えて、不使用時における刃体部の露出防止という安全性を考慮して、キャップ部に形成されている突起部と嵌合するためのキャップ部装着孔を形成している。
【００２３】
請求項６に記載の考案は、請求項１乃至請求項５のいずれか一項に記載の摘み取り器であって、
前記バンド部の固定手段は、
面ファスナーである
ことを特徴としている。
【００２４】
請求項６に記載の考案によると、刃体部が螺着されているホルダー部を、少なくとも人差し指と中指とが含まれる複数本の指にしっかりと固定することができるとともに、摘み取り器の取り付けや取り外しの際の作業が容易になる。
【考案の効果】
【００２５】
本考案を用いると、十分な加圧力や切断力を得られるとともに、刃先の突出寸法の変更も可能であり、刃体部の交換も容易であり、低コストで使いやすい摘み取り器を提供することができる。
【図面の簡単な説明】
【００２６】
【図１】実施例１の摘み取り器の概略図である。
【図２】バンド部の概略図である。
【図３】実施例１の摘み取り器を人差し指、中指及び薬指の基節骨の部分に固定した状態の断面概略図である。
【図４】実施例１の摘み取り器の使用例である。
【図５】実施例２の摘み取り器を人差し指、中指、薬指及び小指の基節骨の部分に固定した状態図である。
【００２７】
ａ）断面概略図である。
【００２８】
ｂ）平面図である。
【図６】実施例３の摘み取り器を人差し指、中指、薬指及び小指の基節骨の部分に固定した状態の断面概略図である。
【考案を実施するための形態】
【００２９】
以下において、本考案に係わる摘み取り器１の実施の形態について図１〜図６を用いて詳細に説明する。本考案に係わる摘み取り器１は、親指を除く、少なくとも人差し指と中指とが含まれる複数本の指に固定して使用するものである。
＜実施例１＞
１．摘み取り器１
実施例１の摘み取り器１は、主にホルダー部３と、刃体部５と、バンド部７を有するものである（図１〜図４）。
（１）ホルダー部３
ホルダー部３は、樹脂製、例えば、ＰＥＴ製、ポリエチレン製、ポリプロピレン製などのものであり、刃体部５を挿入するための刃体部挿入溝１１と、刃体部５をねじ１５によって螺着するためのねじ穴１３を有するものである（図１）。
（２）刃体部５
刃体部５は、金属製、例えば錆びにくいステンレス製の薄板である。この刃体部５の刃先２１は、内側方向に凹状に湾曲する形状のものである。刃先２１を内側方向に凹状に湾曲する形状にすることによって、収穫する野菜や果実の果柄の部分への当接作業やその後の切断作業を容易かつ確実に行うことができる。
【００３０】
また、刃体部５は、ホルダー部３に挿入された後、螺着されるための複数個、例えば、３個のねじ挿入孔２５ａ〜ｃを有するものである。ここで、ねじ挿入孔２５ｂにねじ１５を差し込んでホルダー部３のねじ穴１３に螺着すると、野菜や果実などの種類に係わらず、万能的な収穫が可能な刃先２１の突出寸法（例えば、ホルダー部３からの刃先２１の突出部を１０ｍｍ）にすることができる（図１）。
【００３１】
一方、ねじ挿入孔２５ａにねじ１５を差し込んでホルダー部３のねじ穴１３と螺着すると刃先２１の突出寸法を短くすることができる（例えば、ホルダー部３からの刃先の突出部を７ｍｍ）。また、ねじ挿入孔２５ｃにねじ１５を差し込んでホルダー部３のねじ穴１３と螺着すると刃先２１の突出寸法を長くすることができる（例えば、ホルダー部３からの刃先の突出部を１５ｍｍ）。
【００３２】
すなわち、収穫する野菜や果実の種類によって、刃体部５の刃先２１の突出寸法を変更することが可能となる。したがって、１個の摘み取り器１によって、多品種の野菜や果実などの収穫作業ができる。また、使用時間の経過とともに刃こぼれをしたり、錆ついたりして切れ味が鈍くなったような場合には、ねじ１５による螺着を外すことによって刃体部５のみの交換が可能になる。
【００３３】
したがって、本考案を用いると、刃先２１の突出寸法を自由に変更することが可能であり、かつ刃体部５のみの交換も容易であり、その結果、低コストで使いやすい摘み取り器１を提供することができる。
【００３４】
また、刃体部５の先端付近には、キャップ部装着孔２３を形成した（図１）。このキャップ部装着孔２３は、不使用時における刃体部５の露出防止という安全性を考慮するものであり、特に不使用時における親指を保護するものである。
【００３５】
そして、刃体部５を螺着するねじ挿入孔２５ａ〜ｃに対応して、このキャップ部装着孔２３と嵌合するように、キャップ部９の内側の対応する位置に３個の突起部４１ａ〜ｃを形成した（図１では、突起部４１ｂ，ｃについては図示していない。）。図１のキャップ部９の拡大図では、刃体部５のねじ挿入孔（短）２５ａがホルダー部３に螺着されている場合のみを図示している。
（３）バンド部７
バンド部７は、主に留め具３１と、裏面に滑止め加工がされているもの、例えば、滑止めゴム３３ｂを有するバンド３３ａで形成されている。ホルダー部３はバンド部７を強く固定していても、作業を進めている内に少しづつ回転してしまう。この回転を防ぐためにバンド部７には裏側に滑止めゴム３３ｂを設置した（図１）。
【００３６】
このバンド３３ａの一部には、人差し指と中指とが含まれる複数本の指にしっかりと固定するための固定手段として、例えば、フック３７とループ３９などの対で構成される面ファスナー３５が用いられている（図１、図２）。
【００３７】
バンド部７は、例えば、接着剤や熱溶着などによってホルダー部３に固着された状態で使用される。すなわち、このバンド部７は、刃体部５が螺着されているホルダー部３を、少なくとも人差し指と中指とが含まれる複数本の指にしっかりと固定するための面ファスナー３５を有するものである（図２）。この面ファスナー３５を用いることによって、摘み取り器１の取り付けや取り外し作業が容易になる。
（４）摘み取り器１の使用方法
刃体部５が螺着されているホルダー部３は、バンド部７の面ファスナー３５によって人差し指と中指とが含まれる複数本の指にしっかりと固定される。一実施例として、図３に示されるように、人差し指５３と中指５５と薬指５７の３本の指の基節骨の部分に、摘み取り器１をしっかりとバンド部７の面ファスナー３５によって固定する。
【００３８】
なお、刃体部５が螺着されているホルダー部３を、人差し指５３と中指５５の２本の指や、人差し指５３と中指５５と薬指５７と図示されていない小指５９の４本の指に面ファスナー３５によって固定することもできる。
【００３９】
右手の基節骨の部分に摘み取り器１を固定した状態で（図３、図４（ａ））、例えば、ナス（野菜）７３を掴むことができる（図４（ｂ））。この状態で、人差し指５３と中指５５と薬指５７の３本の指を連動させて果柄７１の部分に刃体部５を押し当てて内側に傾けたり、手５１を手前方向に引いたりすることによって、少ない労力でナス（野菜）７３などの実を掴んだ状態で収穫作業をすることができる（図４（ｂ））。
【００４０】
実施例１に係わる摘み取り器１は、３本の指にしっかりと固定されて連動するので、強い力をかけても刃体部５がグラグラと動くようなことはない。したがって、十分な加圧力や切断力を得られるとともに、右手又は左手のみで野菜や果実などの収穫作業を行うことができる。
【００４１】
なお、図４では、右手の指や爪の部分の位置関係がより明確になるように素手による使用方法の一実施例を図示している。しかし、右手の親指を保護するためには、作業用の皮手袋などを嵌めた状態で摘み取り器１を人差し指５３と中指５５と薬指５７の３本の指に固定した状態で、ナス（野菜）６３などの収穫作業を行うのが安全上は好ましい。
【００４２】
加えて、図３では、面ファスナー３５と留め具３１とを併せて握ることによって、握りやすくするためにこれらを掌側にしているが、手の甲側に配置するようにできることは言うまでもない（図６）。面ファスナー３５や留め具３１を手の甲側に配置することによって（図６）、収穫作業時に野菜などを傷つけにくくできる。
＜実施例２＞
本考案に係わる摘み取り器の他の実施例について図５を用いて説明する。なお、上述した実施例１との共通部分は省略して説明する。この摘み取り器１００は、主にホルダー部３と、刃体部５と、バンド部７と、例えば、小指用バンド３３ｃで形成される管状部８を有するものである（図５）。
【００４３】
実施例２の摘み取り器２００は、ホルダー部３とは反対側のバンド部７の端部に小指５９を挿入するための管状部８が固着、例えば接着または溶着されている。この管状部８は、バンド部７と同一の材質で面ファスナー３５を有さない帯状体を用いることができる。この帯状体の端部を丸めて、例えば接着または溶着などの手段によって管状部８（管状体）が形成されている（図５（ａ））。
【００４４】
小指の基節骨は、人差し指５３、中指５５及び薬指５７の基節骨に比べて内側（掌側）に位置しているので、バンド部７と管状部８との固着部に段部８ａ，ｂを形成することによって、管状部８をバンド部７よりも内側（掌側）に設置するようにした（図５（ｂ））。
【００４５】
図５に示されるように、段部８ａ，ｂを有する状態で管状部８をバンド部７に固着することによって、人差し指５３と中指５５と薬指５７と小指５９の４本の指の基節骨の部分にホルダー部３をしっかりと固定することができる。ホルダー部３はバンド部７を強く固定していても、作業を進めている内に少しづつ回転してしまう。この回転を防ぐためにバンド部７には裏側に滑止めゴム３３ｂにより回転を軽減させ、更に小指５９を挿入する管状部８により完全に回転を防止させることができる。
【００４６】
その結果、摘み取り器１００の刃体部５の刃先２１を一定角度の範囲内（θ）、例えば、３０〜４０度程度の範囲内で使用することが可能になる。
【００４７】
したがって、実施例１の摘み取り器１よりも、実施例２の摘み取り器１００の方が、より十分な加圧力や切断力が得られるとともに、刃体部５の刃先２１の角度もより安定するので、使いやすい状態で野菜や果実などの収穫作業を行うことができる。
【００４８】
加えて、図５では、面ファスナー３５と留め具３１とを併せて握ることによって、握りやすくするためにこれらを掌側にしているが、手の甲側に配置するようにできることは言うまでもない（図６）。面ファスナー３５や留め具３１を手の甲側に配置することによって（図６）、収穫作業時に野菜などを傷つけにくくできる。
＜実施例３＞
本考案に係わる摘み取り器２００の他の実施例について図６を用いて説明する。なお、上述した実施例１との共通部分は省略して説明する。この摘み取り器２００は、主にホルダー部３と、刃体部５と、指サック部６１とバンド部７を有するものである（図６）。
【００４９】
すなわち、実施例３の摘み取り器２００は、バンド部７が指サック部６１を介してホルダー部３に固着、例えば接着または溶着されている。この指サック部６１は、熱可塑性の材料、例えば、ＰＥＴ樹脂、ポリエチレン樹脂又はポリプロピレン樹脂などを真空成型をしたり射出成形をしたりして製造することができる。なお、ホルダー部３と指サック部６１とを一体成形によって製造することもできる。
【００５０】
この指サック部６１としては、作業者の手の大きさや指の太さなどに係わらず、指にフィットするように中指５５と薬指５７との間には下方部分にスリット状の隙間部６３を設けるようにした（図６）。
【００５１】
図６に示されるように、指サック部６１とバンド部７によって、人差し指５３と中指５５と薬指５７と小指５９の４本の指の基節骨の部分にホルダー部３をしっかりと固定することができる。なお、図６以外の固定方法として、人差し指５３と中指５５と薬指５７の３本の指に指サック部６１を介してホルダー部３を固定することもできる。
【００５２】
ここで、バンド部７が指サック部６１を介してホルダー部３に固着されることによって、摘み取り器２００の刃体部５の刃先２１を一定角度の範囲内、例えば、刃先２１による切口が水平に近く、図示されていない親指に当たりにくい角度の範囲内、例えば、３０〜４０度程度の範囲内に調整することが可能になる。
【００５３】
したがって、実施例３の摘み取り器２００を用いると刃体部５の刃先２１の角度がさらに安定するので、より使いやすい状態で野菜や果実などの収穫作業を行うことができる。
【００５４】
図６のように、面ファスナー３５や留め具３１を手の甲側に配置することによって、収穫作業時に野菜などを傷つけにくくできる。一方、面ファスナー３５と留め具３１とを併せて握ることによって、握りやすくするためにこれらの部分を掌側に配置できることは言うまでもない（図３、図５）。
【産業上の利用可能性】
【００５５】
本考案に係わる摘み取り器１は、ナス、キュウリ、ピーマンなどの野菜や、ミカンやカキなどの果実の収穫作業に利用をすることができる。
【符号の説明】
【００５６】
１，１００，２００  摘み取り器
３  ホルダー部
５  刃体部
７  バンド部
８  管状部
８ａ、ｂ  段部
９  キャップ部
１１  刃体部挿入溝
１３  ねじ穴
１５  ねじ
２１  刃先
２３  キャップ部装着孔
２５ａ  ねじ挿入孔（短）
２５ｂ  ねじ挿入孔（中）
２５ｃ  ねじ挿入孔（長）
３１  留め具
３３ａ  バンド
３３ｂ  滑止めゴム
３３ｃ  小指用バンド
３５  面ファスナー
３７  フック
３９  ループ
４１ａ  突起部
４１ｂ  突起部
４１ｃ  突起部
５１  手
５３  人差し指
５５  中指
５７  薬指
５９  小指
６１  指サック部
６３  隙間部
７１  果柄
７３  ナス（野菜）
【図１】
0003196903.tif 000003
【図２】
0003196903.tif 000004
【図３】
0003196903.tif 000005
【図４】
0003196903.tif 000006
【図５】
0003196903.tif 000007
【図６】
0003196903.tif 000008